(57)【要約】  本発明は、練習用マットに固定された下部（６）と地面より上の上部（５）とを備えた、新規なゴルフボール支え（ティー）に関する。上部の上端にはゴルフボール支承面（３）が設けてある。本発明のティーには、セット時にゴルフボールが脱落するのを防止するための戻し突起（４）が設けてある。この突起は、ボールが支承面上の安息位置にあるときに突起とボールとが接触することがないように、上部の少なくとも一側部から上方へ延長している。【選択図】      図１
2007503897.tif 000002
【特許請求の範囲】
【請求項１】
地面の中に保持されるようになった下部と地面より上の上部とを備え、前記上部の上端にゴルフボール支承面を設けたゴルフボール支え（ティー）において：
ゴルフボール・ディスペンサからゴルフボールを位置決めする時にゴルフボールが脱落するのを防止するための戻し突起を備え、前記突起は前記上部の少なくとも一側方から上方へ延長していることを特徴とすること、および、ゴルフボールが前記支承面上の安息位置にあるときには前記突起とボールとは互いに離れていることを特徴とするゴルフボール支え（ティー）。
【請求項２】
前記上部と下部との間の中間部分は折れ曲がり領域を構成するべく縮減された直径を有することを特徴とする請求項１に基づくゴルフボール支え。
【請求項３】
前記上部は円錐形を呈することを特徴とする請求項１又は２に基づくゴルフボール支え。
【請求項４】
前記上部は抛物面形を呈することを特徴とする請求項１又は２に基づくゴルフボール支え。
【請求項５】
前記下部は、水平に配置され練習用マットに固定されるようになった円盤形の基部を備えていることを特徴とする前記請求項のいづれかに基づくゴルフボール支え。
【請求項６】
ゴルフボールを位置決めするときのバウンドを防止すると共に打撃時の柔軟性を保障するため、少なくとも天然ゴムとほぼ７０％のブチルベースの材料で形成されていることを特徴とする前記請求項のいづれかに基づくゴルフボール支え。
【請求項７】
ほぼ１００％がブチルベースの材料で形成されていることを特徴とする前記請求項のいづれかに基づくゴルフボール支え。
【請求項８】
前記突起とボールとの間の距離はほぼ２ｍｍであることを特徴とする前記請求項のいづれかに基づくゴルフボール支え。
【請求項９】
前記突起はティーの直径の四分の三以下の幅を有することを特徴とする前記請求項のいづれかに基づくゴルフボール支え。
【発明の詳細な説明】
【技術分野】
【０００１】
本発明は、ゴルフボール支え（ティー）に関する。ティーの主たる機能は、ゴルフプレイヤーが地面に触れることなくボールを打つことができるような高さにゴルフボールを保持することである。より詳しくは（但しこれに限らないが）、本発明は、練習用マットに固定したティーの上にディスペンサ（自動分配供給装置）を用いてゴルフボールを供給しながらプレーヤが多数のショットを行うようになった練習場に関する。しかしながら、本発明のティーはボールを手で位置決め（セット）する場合にも適用することができる。
【背景技術】
【０００２】
現在のところ、ゴルフボール・ディスペンサの使用時には標準的なティーが使用されている。位置決め時にゴルフボールがティーの支承面から脱落するのを防ぐため、ディスペンサは文献WO 9803232に記載されているようにかなり複雑に構成されており、供給アームはティーの上にボールを非常にそおーっと置くようになったリングを備えている。
【発明の開示】
【０００３】
本発明の目的は、手によって、或いは、ゴルフボール・ディスペンサを用いて位置決めしたゴルフボールを受け止めると共にティーの支承面上に保持することの可能な新規なティーを提供することにある。
【０００４】
本発明は、また、ショットにあたりゴルフクラブが接触した時に最小限の抵抗を呈するような柔軟なティーを提供することを目的とする。
【０００５】
前記目的の少なくとも１つは、地面の中に保持されるようになった下部と地面より上の上部とを備え、前記上部の上端にゴルフボール支承面を設けたゴルフボール支え（ティー）によって達成される。本発明のティーは、ゴルフボールを位置決め（セット）する時にゴルフボールが脱落するのを防止するための戻し突起を備えている。この突起は前記上部の少なくとも一側方から上方へ延長している。
【０００６】
このようなティーによれば、ボールが或る程度の速度をもって到来するようなゴルフボール・ディスペンサを用いる場合には、突起はボールを支承面上に戻すことを可能にする。当業者は、この突起はボールの到来に相対峙する側に配置されることを容易に理解出来るであろう。好ましくは、ゴルフボールを位置決めするときのボールのバウンドを防止すると共に打撃時の柔軟性を保障するため、ティーは少なくとも天然ゴムとほぼ７０％のブチルベースの材料で形成される。それはまた従来の他の材料も包含する。
【０００７】
しかし、ティーのほぼ１００％をブチルベースの材料で形成することができる。
【０００８】
本発明の好ましい特徴に従えば、上部と下部との間の中間部分は折れ曲がり領域を構成するべく縮減された直径を有する。このようにすれば、プレーヤがクラブで打ったときにはティーは容易に折れ曲がることができる。従って、クラブに対するティーの抵抗が最小限になり、これはクラブとティーとの間のショックが弾道に与える影響を低減し或いは無くするのを可能にする。
【０００９】
本発明の好ましい実施態様によれば、上部は抛物面形又は円錐形を呈し、直径が最も小さい方の端部が下に向いている。
【００１０】
更に、突起が打撃領域内に存在しないようにするため、突起がティーの直径の四分の三以下の幅を有するようにする。更に、ゴルフボールが支承面上の安息位置にあるときには、突起とボールとは互いに離れており、従って突起とボールとは接触しない。非限定的な例として、突起とゴルフボールとの間の距離はほぼ２ｍｍである。
【００１１】
下部は、水平に配置され練習用マットに固定されるようになった円盤形の基部を備えている。
【００１２】
本発明の他の特徴や利点は非限定的な実施例の詳細な説明および添付図面から明らかとなろう。
【発明を実施するための最良の形態】
【００１３】
図１には安息位置におけるゴルフボール２を載せたティー１が示してある。ボール２はゴルフボール・ディスペンサ（図示せず）を用いて位置決め（セット）してある。
【００１４】
ティー１の本体はブチルゴムと天然ゴムとの混合物から形成されており、これは本体に柔軟性と耐久性を与えている。この本体は中実でもよいし、図１および図２に示したように中空でもよい。
【００１５】
ティー１は、上部５と、折れ曲がり領域７と、下部６とで構成されており、これら３つの部分はすべて真っ直ぐで垂直な円筒に内接することができる。練習用マット９内に確実に固定するため、下部６はティー１の基部として作用する円盤８の上に載っている。円盤８は３ｍｍの厚さに対して５４ｍｍの直径を有する。下部はマットの厚さとほぼ同じ高さを有する直径約１６ｍｍの胴からなる。マットの厚さが３５ｍｍの場合には、ティーの全高は４２ｍｍ乃至６５ｍｍにすることができる。マットの厚さが１５ｍｍに等しい場合には、ティーの全高は２５ｍｍ乃至４８ｍｍにすることができる。
【００１６】
上部５は上方に向って拡がった円錐形である。折れ曲がり領域は、下部の胴と上部の支承面３に対して減少された直径を有する。従って、ゴルファーがゴルフボールを打つと同時に上部５に衝撃を与えたときには、この上部は最小限の抵抗で容易に折れ曲がることができる。ゴルフクラブの軌跡と運動は乱されることがない。
【００１７】
上部の端部には、ボールを受け容れるように形成された環状の支承面３がある。その直径は１５ｍｍ乃至１８ｍｍにすることができる。
【００１８】
図１および図２から分かるように、上部の一側部には斜め上方へ向かって延長する突起４がある。この突起は、ボール位置決めの際に支承面の上へとボールを戻すに充分に剛的かつ弾力的である。この突起は凸形状の戻しアームとして作用する。この突起は安息時のボールとの間に約２ｍｍの隙間が存在するように配置されている。この突起は安息時のボールに接触することがない。
【００１９】
勿論、本発明は前述した実施例に限定されるものではなく、本発明の範囲を逸脱することなく多数の修正を加えることができる。
【図面の簡単な説明】
【００２０】
【図１】図１は本発明のティーの縦断面図である。
【図２】図２は本発明のティーの平面図である。
【図１】
2007503897.tif 000003
【図２】
2007503897.tif 000004
【国際調査報告】
2007503897.tif 000005
2007503897.tif 000006
2007503897.tif 000007
2007503897.tif 000008
2007503897.tif 000009
2007503897.tif 000010